(57)【要約】【課題】使用用途の自由度が大きい角度調整金具角度調整金具に関する。【解決手段】非円形の貫通孔２３を有する略円盤形状のギア部材を回転自在として保持したケース部３を備える第１部材１と、ギア部材の貫通孔２３に挿入離脱自在に挿入される嵌入軸部２０が突設された第２部材２と、を備え、ケース部３に形成されるくさび形窓部５と、くさび形窓部５内にて移動可能に配設されかつ一面側がギア部材に噛合可能な歯面とされ他面側がくさび形窓部５のくさび面に当接する当接面とされて歯面がギア部材に噛合しかつ当接面がくさび面に当接しギア部材がケース部３に対して一方向へ揺動するのを抑制する浮動くさび部材６と、を具備している。【選択図】図３
2010270858.tif 000002
【特許請求の範囲】
【請求項１】
非円形の貫通孔（２３）を有する略円盤形状のギア部材（４）を回転自在として保持したケース部（３）を備える第１部材（１）と、上記ギア部材（４）の上記貫通孔（２３）に挿入離脱自在に挿入される嵌入軸部（２０）が突設された第２部材（２）と、を備え、
上記ケース部（３）に形成されるくさび形窓部（５）と、該くさび形窓部（５）内にて移動可能に配設されかつ一面側が上記ギア部材（４）に噛合可能な歯面（７）とされ他面側が上記くさび形窓部（５）のくさび面（８）に当接する当接面（９）とされて上記歯面（７）が該ギア部材（４）に噛合しかつ上記当接面（９）が上記くさび面（８）に当接し上記ギア部材（４）が上記ケース部（３）に対して一方向へ揺動するのを抑制する浮動くさび部材（６）と、を具備することを特徴とする角度調整金具。
【請求項２】
上記ギア部材（４）は、摺接外周面（２２）を有する円形低突隆部（２４）が左右両側面（４ａ）（４ｂ）から突出状に連設され、
上記ケース部（３）は、上記円形低突隆部（２４）の上記摺接外周面（２２）を摺動可能に嵌着する円形支持孔（２１）が貫設された一対の対面板部（１７）（１７）を備えた請求項１記載の角度調整金具。
【請求項３】
上記第２部材（２）の上記嵌入軸部（２０）は、上記第１部材（１）の上記貫通孔（２３）に対して、左右いずれからでも挿入可能に構成された請求項１又は２記載の角度調整金具。
【請求項４】
上記非円形の貫通孔（２３）を正多角形として、所定角度（θ）をもって、上記第１部材（１）に対する上記第２部材（２）の揺動開始角度（φ０）及び揺動終了角度（φ１）の各々を変更可能に構成した請求項１，２又は３記載の角度調整金具。
【請求項５】
上記ギア部材（４）に於て、
上記貫通孔（２３）の軸心点（Ｐ１）を中心とする凹凸ギア歯（２５）…のギア半径（Ｒｇ）に対し、上記摺接外周面（２２）の上記軸心点（Ｐ１）を中心とする半径（Ｒ０）を、６０％〜８０％に設定した請求項２，３又は４記載の角度調整金具。
【発明の詳細な説明】
【技術分野】
【０００１】
本発明は、家具類等に使用されて、傾動する背部等の傾斜角度を調整自在として枢支するための角度調整金具に関する。
【背景技術】
【０００２】
本発明者は、かつて、この種の角度調整金具に関して多くの発明を提案してきた。例えば、図１７の組立図と図１８の分解図に示す（特許文献１参照）ように、ケース部３３を形成する第１アーム３１の円弧状ギア部３４を有する第２アーム３２を備え、ケース部３３の２枚の平行な板片部３７，３７にくさび形窓部３５，３５を形成して、浮動くさび部材３６を上記くさび形窓部３５，３５へ挿入して、かつ、ケース部３３の２枚の平行な板片部３７，３７の間に第２アーム３２のギア部３４と２枚の平行な板片部３８，３８とを差込んで、細径ピン３９を小孔部４０，４１に挿入して、軸心４２廻りに揺動自在に、第１アーム３１と第２アーム３２を枢結して、角度調整金具４３を構成していた。
【０００３】
特に、ギア部３４は細かい多数のギア歯４８を有し、かつ、浮動くさび部材３６にも細かいギア歯４９を有し、相互に高寸法精度をもって確実に噛合されなければ、ギア歯４８，４９の使用時の接触面圧が過大となり、切損事故や早期摩耗の問題が生ずる虞れがある。
【先行技術文献】
【特許文献】
【０００４】
【特許文献１】特許第３７６６６６９号公報
【発明の概要】
【発明が解決しようとする課題】
【０００５】
しかしながら、従来の図１７と図１８に示したような角度調整金具では、以下のような問題点があった。
（i） ２個の独立した部品（第１部材１と第２部材２）を細径ピン３９にて組立てて、初めてギア部３４のギア歯４８と、くさび部材３６のギア歯４９とが噛合する構成であって、組立てに伴って寸法誤差の集積が大きくなり、ギア歯４８，４９の使用時の接触面圧が大きくなって、早期摩耗やギア歯や切損事故を生ずることがある点。
（ii）小さな多数の部品をもって図１８に示すように組立てねばならず、組立作業が難しいという点。
(iii）第１アーム３１・第２アーム３２には塑性加工にて短円管状に形成された円管部５０，５０を夫々有し、図１７のように組立てて使用される用途は限定されている。即ち、例えば、座椅子ならば、それ専用となって、それ以外の用途には、円管部５０の形状を板状素材から相違したものを必要とし、特に、円管部５０を帯板型・アングル型・折曲アーム型等とするには、各々新たな設計及び作製を要する点。
（iv）さらに、第１アーム３１と第２アーム３２の揺動開始角度と揺動終了角度は一つに決定されており、各角度を変更することができない点。
（ｖ）従って、揺動開始角度と揺動終了角度が相違する用途（ソファ、ベッド、椅子等の家具の種類や傾動使用条件等が異なる用途）に応じて、別々の設計と作製を必要とする点。
（vi）高精度を要する主要機能部品が、第１アーム３１と第２アーム３２に分離しているため、ピン３９にて組立てた状態下での寸法精度がでにくく、組立ミスを発生し易いという点。
(vii) 細径ピン３９に全荷重が掛り、この細径ピン３９と小孔部４１との早期摩耗や面圧潰を生じ易いという点。
本発明は、図１７と図１８に例示した従来の角度調整金具の上記問題点（i）〜（vii）を解決することを目的とする。
【課題を解決するための手段】
【０００６】
そこで、本発明に係る角度調整金具は、非円形の貫通孔を有する略円盤形状のギア部材を回転自在として保持したケース部を備える第１部材と、上記ギア部材の上記貫通孔に挿入離脱自在に挿入される嵌入軸部が突設された第２部材と、を備え、上記ケース部に形成されるくさび形窓部と、該くさび形窓部内にて移動可能に配設されかつ一面側が上記ギア部材に噛合可能な歯面とされ他面側が上記くさび形窓部のくさび面に当接する当接面とされて上記歯面が該ギア部材に噛合しかつ上記当接面が上記くさび面に当接し上記ギア部材が上記ケース部に対して一方向へ揺動するのを抑制する浮動くさび部材と、を具備するものである。
【０００７】
また、上記ギア部材は、摺接外周面を有する円形低突隆部が左右両側面から突出状に連設され、上記ケース部は、上記円形低突隆部の上記摺接外周面を摺動可能に嵌着する円形支持孔が貫設された一対の対面板部を備えたものである。
【０００８】
上記第２部材の上記嵌入軸部は、上記第１部材の上記貫通孔に対して、左右いずれからでも挿入可能に構成されたものである。
【０００９】
上記非円形の貫通孔を正多角形として、所定角度をもって、上記第１部材に対する上記第２部材の揺動開始角度及び揺動終了角度の各々を変更可能に構成したものである。
【００１０】
上記ギア部材に於て、上記貫通孔の軸心点を中心とする凹凸ギア歯のギア半径に対し、上記摺接外周面の上記軸心点を中心とする半径を、６０％〜８０％に設定したものである。
【発明の効果】
【００１１】
本発明によれば、主要な機能部品が第１部材へ集められるので、噛合ギア歯が高精度寸法をもって正確に噛合し、早期摩耗や切損を生じないで、寿命が延びる。また、第１部材と第２部材の組立作業が著しく容易となる。第２部材はその嵌入軸部さえ同一寸法・形状であれば、円管型・帯板型・アングル型・折曲アーム型等自由に選定可能であって用途に対応自在であり、他方、第１部材もケース部内に全ての機能部品が収容可能であり、このケース部に、円管型・帯板型・アングル型・折曲アーム型等の（相手部材への）取着アーム部を固着すれば、同様に各種用途の対応自在である。
【００１２】
また、第１部材と第２部材の揺動開始角度・揺動終了角度は、非円形の貫通孔に嵌入軸部の挿入角度を変更することで、容易に変更可能である。これによって、家具の種類や傾動使用条件等が異なる用途に対して、簡単に対応可能であり、製造コストの低減、及び、在庫管理の容易化、流通の簡略化を図り得る。
【００１３】
また、組立ミスも発生せず、高品質の角度調整金具が安価に得られる。さらに、回転揺動部の面圧を低下させ易く、それによって、早期摩耗や面圧潰を防止容易となり、大きな外力に耐えて、家具類等の傾動箇所に広く適用できる。
【図面の簡単な説明】
【００１４】
【図１】本発明の角度調整金具の実施の一形態を示した全体斜視図である。
【図２】角度調整金具の全体分解斜視図である。
【図３】角度調整金具の要部分解斜視図である。
【図４】第１部材の分解斜視図である。
【図５】角度調整金具の要部拡大説明図である。
【図６】角度調整金具の使用状態を示した説明図であり、（ａ）は要部破断斜視説明図であり、（ｂ）は要部破断Ｙ矢視説明図である。
【図７】角度調整金具の作用説明のための図であり、（ａ）は要部破断図であり、（ｂ）は要部拡大図である。
【図８】角度調整金具の作用説明のための図であり、（ａ）は要部破断図であり、（ｂ）及び（ｃ）は要部拡大図である。
【図９】角度調整金具の作用説明のための図であり、（ａ）は要部破断図であり、（ｂ）は要部拡大図である。
【図１０】角度調整金具の作用説明のための図であり、（ａ）は要部破断図であり、（ｂ）は要部拡大図である。
【図１１】角度調整金具の作用説明のための図であり、（ａ）は要部破断図であり、（ｂ）は要部拡大図である。
【図１２】角度調整金具の作用を説明する説明図である。
【図１３】第１部材の他の例を示した斜視図である。
【図１４】第２部材の他の例を示した斜視図である。
【図１５】角度調整金具の角度調整を説明する説明図である。
【図１６】角度調整金具の角度調整を説明する説明図である。
【図１７】従来例を示す斜視図である。
【図１８】従来例の分解斜視図である。
【発明を実施するための形態】
【００１５】
本発明に係る角度調整金具Ａは、ソファ、座椅子、ベッド、ヘッドレスト、フットレスト、上下揺動式扉等に使用され、上下に揺動（傾動）する部材を所定の角度範囲をもって、かつ、その傾斜角度を調整自在に保持するものである。例えば、図６に示すように、ソファＳに適用され、座部Ｓ０に対して、バックレストＳ１を後方へ傾動自在として枢支するのに、本発明の角度調整金具Ａが用いられる。
【００１６】
図１〜図４に示す実施の一形態に於て、帯板状の第１取付部１８を有する第１部材１と、帯板状の第２取付部１９を有する第２部材２とを、備え、第１取付部１８と第２取付部１９には、複数の取付小孔が配設され、図６（ｂ）に一点鎖線にて示したように、ビスやリベット等の固着具をこの取付小孔１５に挿通して、バックレストＳ１と座部Ｓ０の各フレームに固着する。
【００１７】
第１部材１は、一対の対面板部１７，１７を有するケース部３を有し、このケース部３に略円盤形状のギア部材４が回転自在に保持される。図４に示すように、対面板部１７は略矩形片型であって、２個の固着用孔部１６が貫設され、かつ、第１取付部１８にも２個の固着用孔部１６ａが貫設され、カシメ部材１４を串挿状に挿通して、カシメ加工にて、強固に第１取付部１８を挾圧状として、平行な２枚の対面板部１７，１７と共に、一体構造として、第１取付部１８の一部、及び、対面板部１７，１７をもってケース部３を形成する。（なお、図例では孔部１６及び孔部１６ａは、各々３個ずつに見えるが、中間の孔部は、後述するカバーＫの相互連結杆用の孔である。）
【００１８】
そして、ケース部３を形成する対面板部１７，１７には、くさび形窓部５及び円形支持孔２１が貫設されている。６は浮動くさび部材であって、左右一対の対面板部１７，１７の両外面間寸法と同等乃至僅かに大きな左右長さ寸法に設定され、浮動くさび部材６は、左右のくさび形窓部５，５を橋絡状として挿入され、くさび形窓部５内を移動可能に組立てられる。
【００１９】
ギア部材４は、摺接外周面２２を有する円形低突隆部２４が左右両側面４ａ，４ｂから突出状として一体に形成（連設）されている。この円形低突隆部２４が前記円形支持孔２１に嵌着されるように、前記カシメ部材１４の鋲着（カシメ加工）にて、組立てられる。つまり、一対の対面板部１７，１７の円形支持孔２１にギア部材４の円形低突隆部２４の摺接外周面２２が、極めて小さな接触面圧をもって摺動可能として、嵌着（保持）される。このように、第１軸心Ｃ１廻りに回転自在としてギア部材４はケース部３内に保持される。
【００２０】
ところで、第２部材２の一端には、側方へ突出状として、正六角柱形状等の多角柱状や星型柱状等の非円形の嵌入軸部２０が一体に設けられている。この嵌入軸部２０には、雌ネジ孔２９が軸心に沿って形成されている。
【００２１】
ギア部材４は、円周面の中心角度が１８０°未満の円弧状範囲にわたって小さな多数の凹凸ギア歯２５が配設されている。また、ギア部材４には、前述した嵌入軸部２０に対応した正六角孔状等の多角形や、星型等の非円形の貫通孔２３が貫設されている。そして、この貫通孔２３に対して軸心Ｃ１方向から、第２部材２の嵌入軸部２０は、左右いずれからでも挿入自在である。
【００２２】
図１〜図３に示すように、第２部材２をその長手方向の中心軸心廻りに１８０°反転させた場合に、全く面対称を成すような形状とすることによって、図６（ａ）（ｂ）に例示したように、第２部材２及び第１部材１を、全く同一部品のままにて、共用可能となる利点がある。
【００２３】
図４から図３に示すように、第１取付部１８の一部と、ギア部材４を、一対の対面板部１７，１７にて挾持しつつ、カシメ部材１４を孔部１６，１６ａ,１６に挿通すると共に、カシメ加工にて、図３に示すように、ケース部３を形成すると同時に、回転自在にギア部材４を枢着（保持）し、さらに、後述の弾発部材１３も同時に組立てる。その後、（又は、上記カシメ加工前に、）くさび部材６を左右のくさび形窓部５，５に挿入する。
【００２４】
図２に示すように、ケース部３に嵌着されたギア部材４の円形低突隆部２４の対面板部１７の外面と、略同一平面を形成する。つまり、円形低突隆部２４の高さ寸法は、対面板部１７の肉厚寸法と略等しく設定しておく。図２に示したように、プラスチック又は薄い金属板製のカバーＫを被覆して、次に、嵌入軸部２０を、貫通孔２３に挿入すると共に、抜け止め部材Ｂにて、抜け止めを行う。
【００２５】
図５に示すように、ギア部材４は、貫通孔２３の軸心点Ｐ１を中心とする円弧上に突設した押し返し突部１０から、図中矢印Ｎ方向の同円弧上に、四半円（９０°）を少し（１０°〜３０°）越える範囲（１００°〜１２０°）に渡って、凹凸ギア歯２５…を有している。凹凸ギア歯２５…の形成される範囲の終端部には、軸心点Ｐ１を中心とする円弧上に突設した押し出し突部１２を備えている。
軸心点Ｐ１を中心とする凹凸ギア歯２５のギア半径Ｒｇに対して、軸心点Ｐ１を中心とする摺接外周面２２の半径Ｒ０を、６０％〜８０％の寸法に設定している。
ギア半径Ｒｇに対して、半径Ｒ０を、６０％より小さく設定した場合には、凹凸ギア歯２５に対する軸としての円形低突隆部２４が小径となるため、面圧が過大となって、早期摩耗を生じ、凹凸ギア歯の相互噛合の不良を生じて切損や異常摩耗を発生する虞れがある。
ギア半径Ｒｇに対して、半径Ｒ０を、８０％より大きく設定した場合、軸受としての対面板部１７，１７の残りの円環部の強度が低下し、不都合である。
【００２６】
図３〜図５に示すように、くさび形窓部５は、第１軸心Ｃ１を中心側とした場合に中心方向に凹となるように形成され、矢印Ｎ方向に拡大するくさび形の孔である。くさび形窓部５は、対面板部１７，１７に夫々同一形状にて形成され、ケース部３を貫通している。くさび形窓部５の外方側には、くさび面８が形成されている。くさび面８は、第１軸心Ｃ１と偏心する第２軸心Ｃ２を中心とした円弧状に形成されている。さらに、くさび形窓部５は、矢印Ｎ方向側の端部に、浮動くさび部材６を収容して歯面７とギア部材４との噛合状態を解除して退避可能な退避空間部１１を有している。くさび形窓部５は、内方側の円弧面２６に、当たり用段付部２８を有している。
【００２７】
浮動くさび部材６は、一面側がギア部材４に噛合可能な凹凸ギアを有する歯面７とされ、他面側がくさび形窓部５のくさび面８に当接する当接面９とされている。歯面７には、当たり用段付部２８に対して当接可能な誘導勾配面２７が形成されている。浮動くさび部材６の当接面９は、くさび面８と略同一形状の円弧状として形成されている。
さらに、ケース部３は、浮動くさび部材６をギア部材４へ押し付ける方向に弾発付勢する弾発部材１３を備える。弾発部材１３は、帯状の鋼板材から成る板バネであり、その両端を第１取付部１８に取着され、浮動くさび部材６の当接面９の中央部に当接している。浮動くさび部材６は、ギア部材４とくさび面８との間に生まれた空間に介在し、弾発部材１３によって、ギア部材４へ押し付ける方向に弾発付勢されている。
【００２８】
次に、上述した本発明の角度調整金具の使用方法（作用）について説明する。
図７〜図１２は、角度調整金具Ａの作用説明図である。第１部材１と第２部材２とは、図７の直線状態（揺動開始角度φ０＝０°）から第１軸心Ｃ１廻りに揺動を開始する。第１部材１に対して第２部材２が徐々に矢印Ｎ方向に揺動（図８〜図９）する。図１０に示すように、第１部材１と第２部材２とが、相互に略直角状態（揺動終了角度φ１＝９５°）になるまで揺動し、Ｎ方向への揺動は終了する。その後、図１１に示すように、第２部材２が図中矢印Ｒ方向に揺動して、直線状態に復帰するまでを１周期として角度調整金具Ａの動作を説明する。
【００２９】
まず、図７に示すように、第１部材１と第２部材２とが、直線状となるように、第１部材１の貫通孔２３に、嵌入軸部２０を嵌入し、第２部材２を第１部材１に取り付ける（図７（ａ）参照）。この際、浮動くさび部材６は、その歯面７を押し出し突部１２寄りの凹凸ギア歯２５…に噛合すると共に、当接面９をくさび面８に当接し、ギア部材４を矢印Ｒ方向に回転するのを抑制する（図７（ｂ）参照）。この状態を揺動開始状態とし、第１部材１と第２部材２が成す角度を揺動開始角度φ０とする。揺動開始状態では、第２部材２は、第１部材１に対して矢印Ｎ方向へ揺動する。
【００３０】
次に、図８に示すように、第２部材２を矢印Ｎ方向へ起立させると、弾発部材１３によりギア部材４へ押し付ける方向に弾発付勢される浮動くさび部材６の当接面９は、くさび面８から離れて、僅かな隙間ｄを生じる（図８（ｂ）参照）。そして、さらに起立動作を続けると、図８（ｃ）に示すように、浮動くさび部材６の誘導勾配面２７が、くさび形窓部５の当たり用段付部２８に当接して、浮動くさび部材６が隙間ｄの分だけギア部材４から離れて、歯面７が凹凸ギア歯２５をカチカチと音をたて乗り越える。
この際、浮動くさび部材６は、歯面７を凹凸ギア歯２５…に噛合すると共に、当接面９をくさび面８に当接して、第２部材２が矢印Ｒ方向に揺動するのを抑制する。よって、第２部材２を任意の傾斜角度にて維持する。ギア部材４は、円形低突隆部２４を円形支持孔２１に枢着して保持されるため、摺接外周面２２を円形支持孔２１に広く摺接して、第２部材２の姿勢を強固に維持する。
【００３１】
図９に示すように、第２部材２を起立させていくと、浮動くさび部材６に押し返し突部１０を当接し、かつ、誘導勾配面２７が当たり用段付部２８に当接する（図９（ｂ）参照）。
【００３２】
その後、図１０に示すように、第２部材２を、さらに矢印Ｎ方向に揺動させると、弾発部材１３の弾発力に逆らって、押し返し突部１０にて押し返された浮動くさび部材６は、ギア部材４から離反し、当たり用段付部２８を乗り越えて、退避空間部１１に収容される。つまり、浮動くさび部材６が、ギア部材４から離反することにより、歯面７と凹凸ギア歯２５…の噛合状態は解除される。また、浮動くさび部材６は、ギア部材４を係止して、矢印Ｎ方向への回転を抑止する。
この状態を揺動終了状態とし、第１部材１と第２部材２とが成す角度を揺動終了角度φ１とする。揺動終了状態では、第２部材２は、第１部材１に対して揺動終了角度φ１より矢印Ｎ方向へは揺動しない。
【００３３】
従って、歯面７と凹凸ギア歯２５…の噛合状態は解除され、第２部材２は、第１部材１に対して揺動開始角度φ０から揺動終了角度φ１の範囲内で自由揺動状態となる。そして、図１１に示すように、第２部材２を矢印Ｒ方向に揺動し、第１部材１と第２部材２が直線状（揺動開始角度φ０）にすると、ギア部材４の押し出し突部１２により誘導勾配面２７を押圧し、浮動くさび部材６を退避空間部１１から押し出して、歯面７とギア部材４の凹凸ギア歯２５…とを、再び噛合状態に復帰させる。
【００３４】
つまり、図１２に示すように、揺動開始状態から第２部材２をＲ方向への揺動を阻止しつつ揺動単位角度αずつ矢印Ｎ方向に揺動し、任意の傾斜角度にて維持する。第１部材１に対する第２部材２の傾斜角度が、揺動終了状態の揺動終了角度φ１に達すると、第２部材２は、揺動開始角度φ０から揺動終了角度φ１の範囲内で自由揺動状態となる。その後、第１部材１と第２部材２とを直線状（揺動開始角度φ０）に戻すことにより、浮動くさび部材６とギア部材４とを噛合状態に復帰させて、再び揺動開始状態に戻る。
なお、本実施例では、揺動開始角度φ０＝０°、揺動終了角度φ１＝９５°であり、歯面７が１つの凹凸ギア歯２５を乗り越えて揺動する角度としての揺動単位角度αは５°程度に設定されているが、各々の値を、変更自由であり、これは一例にすぎない。
【００３５】
また、第１取付部１８及び第２取付部１９を所望の形状に設定することが可能であり、例えば、図１３に示すように、カバーＫ，Ｋを取付けたケース部３を備えた第１部材１は、第１取付部１８を上述の実施の形態にて用いたものとは異なった形状のものとすることが可能である。第２部材２に関しても同様であり、図１４に示すように、嵌入軸部２０を突設する第２部材２は、第２取付部１９を上述の実施の形態にて用いたものとは異なった形状のものとすることが可能である。
図１３（ａ）〜（ｄ）に示した第１部材１と、図１４（ａ）〜（ｄ）に示した第２部材２と、の組み合わせは自由に選択することが可能で、角度調整金具Ａの使用用途や第１取付部１８及び第２取付部１９のソファ等への固定方法によって多様な形態を採用できる。
【００３６】
図６に示すように、ソファＳのバックレストＳ１の左右両側に角度調整金具Ａを取着した場合には、左側の角度調整金具Ａの第１部材１の貫通孔２３に対しては、左側から第２部材２の嵌入軸部２０を挿入して枢結し、右側の角度調整金具Ａの第１部材１の貫通孔２３に対しては、右側から第２部材２の嵌入軸部２０を挿入して枢結する。つまり、第２部材２の嵌入軸部２０は、第１部材１の貫通孔２３に対して、左右いずれからでも挿入することが可能である。特に、図１３（ｃ）（ｄ）と、図１４（ｄ）の組合せでは、左右の角度調整具Ａは全く共通部品をもって使用できる。
【００３７】
また、図６に示すように、ソファＳのバックレストＳ１の左右両側に角度調整金具Ａを取着した場合には、左側の角度調整金具Ａの第１部材１の貫通孔２３に対しては、左側から第２部材２の嵌入軸部２０を挿入して枢結し、右側の角度調整金具Ａの第１部材１の貫通孔２３に対しては、右側から第２部材２の嵌入軸部２０を挿入して枢結する。つまり、第２部材２の嵌入軸部２０は、第１部材１の貫通孔２３に対して、左右いずれからでも挿入することが可能である。特に図１３（ｃ）（ｄ）と、図１４（ｄ）の組み合わせでは、左右の角度調整具Ａは全く共通部分をもって使用できる。また、図１３（ａ）（ｂ）と、図１４（ａ）（ｂ）（ｃ）の組み合わせについても、第１取付部１８及び第２取付部１９を左右に対応した対称形とする必要があるものの、第１部材１のケース部３内に集められた加工精度及び材質や熱処理等を最も必要とする製作が特に難しく高価な機能部品を共通してそのまま使用できる。
【００３８】
次に、図１５及び図１６に示すように、揺動開始状態に於て、第１部材１に対して第２部材２を、所定角度θをもって、傾斜させた状態で取り付ける場合について説明する。なお、貫通孔２３は、正六角孔であり、嵌入軸部２０は、正六角柱形状であるため、ここでは、θ＝６０°として角度の変更が可能なものである。
図１５に示すように、第１部材１に対して第２部材２が、矢印Ｎ方向に所定角度θ傾斜した状態で揺動を開始するように、揺動開始角度φ０を変更する。揺動開始角度φ０から揺動終了角度φ１までの可動域は、既述の動作の場合と同様である。よって、揺動終了角度φ１も所定角度θ分だけ矢印Ｎ方向に傾斜する。このようにして、第１部材１に対する第２部材２の揺動開始角度φ０及び揺動終了角度φ１を、所定角度θをもって変更する。
【００３９】
また、図１６に示すように、第１部材１に対して第２部材２を、さらに矢印Ｎ方向に所定角度θ傾斜させ、揺動開始角度φ０を変更すると、揺動終了角度φ１が矢印Ｎ方向にさらに所定角度θ傾斜する。つまり、揺動開始角度φ０及び揺動終了角度φ１は、所定角度θ毎に変更可能であり、第１部材１に対する第２部材２の揺動開始角度φ０及び揺動終了角度φ１を使用用途に応じて変更可能に構成されている。
【００４０】
なお、本発明は、設計変更可能であって、例えば、貫通孔２３及び嵌入軸部２０の形状は、正六角形に限定されるものではなく、正三角形、正四角形、正八角形等の正多角形や、その他、十字形状や星型等の非円形とするも好ましい。
【００４１】
以上のように、本発明は  非円形の貫通孔２３を有する略円盤形状のギア部材４を回転自在として保持したケース部３を備える第１部材１と、ギア部材４の貫通孔２３に挿入離脱自在に挿入される嵌入軸部２０が突設された第２部材２と、を備え、ケース部３に形成されるくさび形窓部５と、くさび形窓部５内にて移動可能に配設されかつ一面側がギア部材４に噛合可能な歯面７とされ他面側がくさび形窓部５のくさび面８に当接する当接面９とされて歯面７がギア部材４に噛合しかつ当接面９がくさび面８に当接しギア部材４がケース部３に対して一方向へ揺動するのを抑制する浮動くさび部材６と、を具備するので、第１部材１の貫通孔２３に第２部材２の嵌入軸部２０を挿入するのみで、第１部材１と第２部材２との枢結を容易に行い得る。また、使用用途に応じて設計の変更が余儀なくされた場合に、加工精度及び材質や熱処理等を最も必要とする高価な機能部品を第１部材１のケース部３に集めることができるので、このケース部３のみを共用しつつ、容易に対応でき、製作を容易とし、品質を高く維持できる。また、第１部材１と第２部材２との揺動開始角度φ０及び揺動終了角度φ１の調整を簡単に行なうことができ、使用用途を拡大可能となる。
【００４２】
また、ギア部材４は、摺接外周面２２を有する円形低突隆部２４が左右両側面４ａ，４ｂから突出状に連設され、ケース部３は、円形低突隆部２４の摺接外周面２２を摺動可能に嵌着する円形支持孔２１が貫設された一対の対面板部１７，１７を備えているので、従来の図１７と図１８で述べた細径のピン３９及び小孔部４０の早期摩耗を防止でき、これに伴うギア歯の異常摩耗・切損を防止でき、耐久性に優れる。
【００４３】
また、第２部材２の嵌入軸部２０は、第１部材１の貫通孔２３に対して、左右いずれからでも挿入可能に構成されているので、使用用途に応じて左右のアーム形状が異なる場合にも、多くの部品を共用することができる。
【００４４】
また、非円形の貫通孔２３を正多角形として、所定角度θをもって、第１部材１に対する第２部材２の揺動開始角度φ０及び揺動終了角度φ１の各々を変更可能に構成しているので、第１部材１と第２部材２とを着脱するのみで、揺動開始角度φ０及び揺動終了角度φ１の調整を簡単に行なうことができ、使用用途を制限されることなく利用できる。
【００４５】
ギア部材４に於て、貫通孔２３の軸心点Ｐ１を中心とする凹凸ギア歯２５…のギア半径Ｒｇに対し、摺接外周面２２の軸心点Ｐ１を中心とする半径Ｒ０を、６０％〜８０％に設定しているので、摺接外周面２２に対する面圧が低下し、摩耗が生じにくくなって、ギア部材４の軸ブレを防止し、凹凸ギア歯２５と歯面７とを確実に噛合させることが可能となる。
【符号の説明】
【００４６】
１  第１部材
２  第２部材
３  ケース部
４  ギア部材
４ａ  左側面
４ｂ  右側面
５  くさび形窓部
６  浮動くさび部材
７  歯面
８  くさび面
９  当接面
１７  対面板部
２０  嵌入軸部
２１  円形支持孔
２２  摺接外周面
２３  貫通孔
２４  円形低突隆部
２５  凹凸ギア歯
θ  所定角度
φ０  揺動開始角度
φ１  揺動終了角度
Ｐ１  軸心点
Ｒｇ  ギア半径
Ｒ０  半径
【図１】
2010270858.tif 000003
【図２】
2010270858.tif 000004
【図３】
2010270858.tif 000005
【図４】
2010270858.tif 000006
【図５】
2010270858.tif 000007
【図６】
2010270858.tif 000008
【図７】
2010270858.tif 000009
【図８】
2010270858.tif 000010
【図９】
2010270858.tif 000011
【図１０】
2010270858.tif 000012
【図１１】
2010270858.tif 000013
【図１２】
2010270858.tif 000014
【図１３】
2010270858.tif 000015
【図１４】
2010270858.tif 000016
【図１５】
2010270858.tif 000017
【図１６】
2010270858.tif 000018
【図１７】
2010270858.tif 000019
【図１８】
2010270858.tif 000020
【手続補正書】
【提出日】平成21年9月16日(2009.9.16)
【手続補正１】
【補正対象書類名】明細書
【補正対象項目名】全文
【補正方法】変更
【補正の内容】
【発明の詳細な説明】
【技術分野】
【０００１】
本発明は、家具類等に使用されて、傾動する背部等の傾斜角度を調整自在として枢支するための角度調整金具に関する。
【背景技術】
【０００２】
本発明者は、かつて、この種の角度調整金具に関して多くの発明を提案してきた。例えば、図１７の組立図と図１８の分解図に示す（特許文献１参照）ように、ケース部３３を形成する第１アーム３１の円弧状ギア部３４を有する第２アーム３２を備え、ケース部３３の２枚の平行な板片部３７，３７にくさび形窓部３５，３５を形成して、浮動くさび部材３６を上記くさび形窓部３５，３５へ挿入して、かつ、ケース部３３の２枚の平行な板片部３７，３７の間に第２アーム３２のギア部３４と２枚の平行な板片部３８，３８とを差込んで、細径ピン３９を小孔部４０，４１に挿入して、軸心４２廻りに揺動自在に、第１アーム３１と第２アーム３２を枢結して、角度調整金具４３を構成していた。
【０００３】
特に、ギア部３４は細かい多数のギア歯４８を有し、かつ、浮動くさび部材３６にも細かいギア歯４９を有し、相互に高寸法精度をもって確実に噛合されなければ、ギア歯４８，４９の使用時の接触面圧が過大となり、切損事故や早期摩耗の問題が生ずる虞れがある。
【先行技術文献】
【特許文献】
【０００４】
【特許文献１】特許第３７６６６６９号公報
【発明の概要】
【発明が解決しようとする課題】
【０００５】
しかしながら、従来の図１７と図１８に示したような角度調整金具では、以下のような問題点があった。
（i） ２個の独立した部品（第１部材１と第２部材２）を細径ピン３９にて組立てて、初めてギア部３４のギア歯４８と、くさび部材３６のギア歯４９とが噛合する構成であって、組立てに伴って寸法誤差の集積が大きくなり、ギア歯４８，４９の使用時の接触面圧が大きくなって、早期摩耗やギア歯や切損事故を生ずることがある点。
（ii）小さな多数の部品をもって図１８に示すように組立てねばならず、組立作業が難しいという点。
(iii）第１アーム３１・第２アーム３２には塑性加工にて短円管状に形成された円管部５０，５０を夫々有し、図１７のように組立てて使用される用途は限定されている。即ち、例えば、座椅子ならば、それ専用となって、それ以外の用途には、円管部５０の形状を板状素材から相違したものを必要とし、特に、円管部５０を帯板型・アングル型・折曲アーム型等とするには、各々新たな設計及び作製を要する点。
（iv）さらに、第１アーム３１と第２アーム３２の揺動開始角度と揺動終了角度は一つに決定されており、各角度を変更することができない点。
（ｖ）従って、揺動開始角度と揺動終了角度が相違する用途（ソファ、ベッド、椅子等の家具の種類や傾動使用条件等が異なる用途）に応じて、別々の設計と作製を必要とする点。
（vi）高精度を要する主要機能部品が、第１アーム３１と第２アーム３２に分離しているため、ピン３９にて組立てた状態下での寸法精度がでにくく、組立ミスを発生し易いという点。
(vii) 細径ピン３９に全荷重が掛り、この細径ピン３９と小孔部４１との早期摩耗や面圧潰を生じ易いという点。
本発明は、図１７と図１８に例示した従来の角度調整金具の上記問題点（i）〜（vii）を解決することを目的とする。
【課題を解決するための手段】
【０００６】
そこで、本発明に係る角度調整金具は、一軸心廻りに揺動可能に枢結される第１部材と第２部材を備え；上記第１部材はケース部を有すると共に、該ケース部に略円盤形状のギア部材を、上記一軸心廻りに回転自在として保持させ、上記一軸心に沿って上記ギア部材４に非円形の貫通孔を貫設し；しかも、上記ギア部材は、上記一軸心を中心とする円形低突隆部が、左右両側面から突出状に連設され、かつ、上記ケース部は一対の対面板部を有し、上記ギア部材の上記円形低突隆部の摺接外周面を、上記対面板部に貫設した円形支持孔に摺動可能に嵌着し；上記ケース部の対面板部に形成されるくさび形窓部と、該くさび形窓部内にて移動可能に配設されかつ一面側が上記ギア部材に噛合可能な歯面とされ他面側が上記くさび形窓部のくさび面に当接する当接面とされて上記歯面が該ギア部材に噛合しかつ上記当接面が上記くさび面に当接し上記ギア部材が上記ケース部に対して一方向へ揺動するのを抑制する浮動くさび部材と、を具備し；上記第２部材の一端部には、上記ギア部材の上記貫通孔に対して、左右いずれからでも挿入可能として、挿入離脱自在に挿入される非円形の嵌入軸部が突設され；上記非円形の貫通孔に上記非円形の嵌入軸部を挿入離脱自在に挿入して、所定角度をもって、上記第１部材に対する上記第２部材の揺動開始角度及び揺動終了角度の各々を変更可能に構成し；しかも、上記ギア部材に於て、上記貫通孔の軸心点を中心とする凹凸ギア歯のギア半径に対し、上記摺接外周面の上記軸心点を中心とする半径を、６０％〜８０％に設定したものである。
【０００７】
また、上記円形低突隆部の高さ寸法を、対面板部の肉厚寸法と略等しく設定した。
【発明の効果】
【０００８】
本発明によれば、主要な機能部品が第１部材へ集められるので、噛合ギア歯が高精度寸法をもって正確に噛合し、早期摩耗や切損を生じないで、寿命が延びる。また、第１部材と第２部材の組立作業が著しく容易となる。第２部材はその嵌入軸部さえ同一寸法・形状であれば、円管型・帯板型・アングル型・折曲アーム型等自由に選定可能であって用途に対応自在であり、他方、第１部材もケース部内に全ての機能部品が収容可能であり、このケース部に、円管型・帯板型・アングル型・折曲アーム型等の（相手部材への）取着アーム部を固着すれば、同様に各種用途の対応自在である。
【０００９】
また、第１部材と第２部材の揺動開始角度・揺動終了角度は、非円形の貫通孔に嵌入軸部の挿入角度を変更することで、容易に変更可能である。これによって、家具の種類や傾動使用条件等が異なる用途に対して、簡単に対応可能であり、製造コストの低減、及び、在庫管理の容易化、流通の簡略化を図り得る。
【００１０】
また、組立ミスも発生せず、高品質の角度調整金具が安価に得られる。さらに、回転揺動部の面圧を低下させ易く、それによって、早期摩耗や面圧潰を防止容易となり、大きな外力に耐えて、家具類等の傾動箇所に広く適用できる。
【図面の簡単な説明】
【００１１】
【図１】本発明の角度調整金具の実施の一形態を示した全体斜視図である。
【図２】角度調整金具の全体分解斜視図である。
【図３】角度調整金具の要部分解斜視図である。
【図４】第１部材の分解斜視図である。
【図５】角度調整金具の要部拡大説明図である。
【図６】角度調整金具の使用状態を示した説明図であり、（ａ）は要部破断斜視説明図であり、（ｂ）は要部破断Ｙ矢視説明図である。
【図７】角度調整金具の作用説明のための図であり、（ａ）は要部破断図であり、（ｂ）は要部拡大図である。
【図８】角度調整金具の作用説明のための図であり、（ａ）は要部破断図であり、（ｂ）及び（ｃ）は要部拡大図である。
【図９】角度調整金具の作用説明のための図であり、（ａ）は要部破断図であり、（ｂ）は要部拡大図である。
【図１０】角度調整金具の作用説明のための図であり、（ａ）は要部破断図であり、（ｂ）は要部拡大図である。
【図１１】角度調整金具の作用説明のための図であり、（ａ）は要部破断図であり、（ｂ）は要部拡大図である。
【図１２】角度調整金具の作用を説明する説明図である。
【図１３】第１部材の他の例を示した斜視図である。
【図１４】第２部材の他の例を示した斜視図である。
【図１５】角度調整金具の角度調整を説明する説明図である。
【図１６】角度調整金具の角度調整を説明する説明図である。
【図１７】従来例を示す斜視図である。
【図１８】従来例の分解斜視図である。
【発明を実施するための形態】
【００１２】
本発明に係る角度調整金具Ａは、ソファ、座椅子、ベッド、ヘッドレスト、フットレスト、上下揺動式扉等に使用され、上下に揺動（傾動）する部材を所定の角度範囲をもって、かつ、その傾斜角度を調整自在に保持するものである。例えば、図６に示すように、ソファＳに適用され、座部Ｓ１に対して、バックレストＳ１を後方へ傾動自在として枢支するのに、本発明の角度調整金具Ａが用いられる。
【００１３】
図１〜図４に示す実施の一形態に於て、帯板状の第１取付部１８を有する第１部材１と、帯板状の第２取付部１９を有する第２部材２とを、備え、第１取付部１８と第２取付部１９には、複数の取付小孔が配設され、図６（ｂ）に一点鎖線にて示したように、ビスやリベット等の固着具をこの取付小孔１５に挿通して、バックレストＳ１と座部Ｓ０の各フレームに固着する。
【００１４】
第１部材１は、一対の対面板部１７，１７を有するケース部３を有し、このケース部３に略円盤形状のギア部材４が回転自在に保持される。図４に示すように、対面板部１７は略矩形片型であって、２個の固着用孔部１６が貫設され、かつ、第１取付部１８にも２個の固着用孔部１６ａが貫設され、カシメ部材１４を串挿状に挿通して、カシメ加工にて、強固に第１取付部１８を挾圧状として、平行な２枚の対面板部１７，１７と共に、一体構造として、第１取付部１８の一部、及び、対面板部１７，１７をもってケース部３を形成する。（なお、図例では孔部１６及び孔部１６ａは、各々３個ずつに見えるが、中間の孔部は、後述するカバーＫの相互連結杆用の孔である。）
【００１５】
そして、ケース部３を形成する対面板部１７，１７には、くさび形窓部５及び円形支持孔２１が貫設されている。６は浮動くさび部材であって、左右一対の対面板部１７，１７の両外面間寸法と同等乃至僅かに大きな左右長さ寸法に設定され、浮動くさび部材６は、左右のくさび形窓部５，５を橋絡状として挿入され、くさび形窓部５内を移動可能に組立てられる。
【００１６】
ギア部材４は、摺接外周面２２を有する円形低突隆部２４が左右両側面４ａ，４ｂから突出状として一体に形成（連設）されている。この円形低突隆部２４が前記円形支持孔２１に嵌着されるように、前記カシメ部材１４の鋲着（カシメ加工）にて、組立てられる。つまり、一対の対面板部１７，１７の円形支持孔２１にギア部材４の円形低突隆部２４の摺接外周面２２が、極めて小さな接触面圧をもって摺動可能として、嵌着（保持）される。このように、第１軸心（一軸心）Ｃ１廻りに回転自在としてギア部材４はケース部３内に保持される。
【００１７】
ところで、第２部材２の一端には、側方へ突出状として、正六角柱形状等の多角柱状や星型柱状等の非円形の嵌入軸部２０が一体に設けられている。この嵌入軸部２０には、雌ネジ孔２９が軸心に沿って形成されている。
【００１８】
ギア部材４は、円周面の中心角度が１８０°未満の円弧状範囲にわたって小さな多数の凹凸ギア歯２５が配設されている。また、ギア部材４には、前述した嵌入軸部２０に対応した正六角孔状等の多角形や、星型等の非円形の貫通孔２３が貫設されている。そして、この貫通孔２３に対して一軸心Ｃ１方向から、第２部材２の嵌入軸部２０は、左右いずれからでも挿入自在である。
【００１９】
図１〜図３に示すように、第２部材２をその長手方向の中心軸心廻りに１８０°反転させた場合に、全く面対称を成すような形状とすることによって、図６（ａ）（ｂ）に例示したように、第２部材２及び第１部材１を、全く同一部品のままにて、共用可能となる利点がある。
【００２０】
図４から図３に示すように、第１取付部１８の一部と、ギア部材４を、一対の対面板部１７，１７にて挾持しつつ、カシメ部材１４を孔部１６，１６ａ,１６に挿通すると共に、カシメ加工にて、図３に示すように、ケース部３を形成すると同時に、回転自在にギア部材４を枢着（保持）し、さらに、後述の弾発部材１３も同時に組立てる。その後、（又は、上記カシメ加工前に、）くさび部材６を左右のくさび形窓部５，５に挿入する。
【００２１】
図２に示すように、ケース部３に嵌着されたギア部材４の円形低突隆部２４と対面板部１７の外面と、略同一平面を形成する。つまり、円形低突隆部２４の高さ寸法は、対面板部１７の肉厚寸法と略等しく設定しておく。図２に示したように、プラスチック又は薄い金属板製のカバーＫを被覆して、次に、嵌入軸部２０を、貫通孔２３に挿入すると共に、抜け止め部材Ｂにて、抜け止めを行う。
【００２２】
図５に示すように、ギア部材４は、貫通孔２３の軸心点Ｐ１を中心とする円弧上に突設した押し返し突部１０から、図中矢印Ｎ方向の同円弧上に、四半円（９０°）を少し（１０°〜３０°）越える範囲（１００°〜１２０°）に渡って、凹凸ギア歯２５…を有している。凹凸ギア歯２５…の形成される範囲の終端部には、軸心点Ｐ１を中心とする円弧上に突設した押し出し突部１２を備えている。
軸心点Ｐ１を中心とする凹凸ギア歯２５のギア半径Ｒｇに対して、軸心点Ｐ１を中心とする摺接外周面２２の半径Ｒ０を、６０％〜８０％の寸法に設定している。
ギア半径Ｒｇに対して、半径Ｒ０を、６０％より小さく設定した場合には、凹凸ギア歯２５に対する軸としての円形低突隆部２４が小径となるため、面圧が過大となって、早期摩耗を生じ、凹凸ギア歯の相互噛合の不良を生じて切損や異常摩耗を発生する虞れがある。
ギア半径Ｒｇに対して、半径Ｒ０を、８０％より大きく設定した場合、軸受としての対面板部１７，１７の残りの円環部の強度が低下し、不都合である。
【００２３】
図３〜図５に示すように、くさび形窓部５は、第１軸心（一軸心）Ｃ１を中心側とした場合に中心方向に凹となるように形成され、矢印Ｎ方向に拡大するくさび形の孔である。くさび形窓部５は、対面板部１７，１７に夫々同一形状にて形成され、ケース部３を貫通している。くさび形窓部５の外方側には、くさび面８が形成されている。くさび面８は、第１軸心Ｃ１と偏心する第２軸心Ｃ２を中心とした円弧状に形成されている。さらに、くさび形窓部５は、矢印Ｎ方向側の端部に、浮動くさび部材６を収容して歯面７とギア部材４との噛合状態を解除して退避可能な退避空間部１１を有している。くさび形窓部５は、内方側の円弧面２６に、当たり用段付部２８を有している。
【００２４】
浮動くさび部材６は、一面側がギア部材４に噛合可能な凹凸ギアを有する歯面７とされ、他面側がくさび形窓部５のくさび面８に当接する当接面９とされている。歯面７には、当たり用段付部２８に対して当接可能な誘導勾配面２７が形成されている。浮動くさび部材６の当接面９は、くさび面８と略同一形状の円弧状として形成されている。
さらに、ケース部３は、浮動くさび部材６をギア部材４へ押し付ける方向に弾発付勢する弾発部材１３を備える。弾発部材１３は、帯状の鋼板材から成る板バネであり、その両端を第１取付部１８に取着され、浮動くさび部材６の当接面９の中央部に当接している。浮動くさび部材６は、ギア部材４とくさび面８との間に生まれた空間に介在し、弾発部材１３によって、ギア部材４へ押し付ける方向に弾発付勢されている。
【００２５】
次に、上述した本発明の角度調整金具の使用方法（作用）について説明する。
図７〜図１２は、角度調整金具Ａの作用説明図である。第１部材１と第２部材２とは、図７の直線状態（揺動開始角度φ０＝０°）から第１軸心Ｃ１廻りに揺動を開始する。第１部材１に対して第２部材２が徐々に矢印Ｎ方向に揺動（図８〜図９）する。図１０に示すように、第１部材１と第２部材２とが、相互に略直角状態（揺動終了角度φ１＝９５°）になるまで揺動し、Ｎ方向への揺動は終了する。その後、図１１に示すように、第２部材２が図中矢印Ｒ方向に揺動して、直線状態に復帰するまでを１周期として角度調整金具Ａの動作を説明する。
【００２６】
まず、図７に示すように、第１部材１と第２部材２とが、直線状となるように、第１部材１の貫通孔２３に、嵌入軸部２０を嵌入し、第２部材２を第１部材１に取り付ける（図７（ａ）参照）。この際、浮動くさび部材６は、その歯面７を押し出し突部１２寄りの凹凸ギア歯２５…に噛合すると共に、当接面９をくさび面８に当接し、ギア部材４を矢印Ｒ方向に回転するのを抑制する（図７（ｂ）参照）。この状態を揺動開始状態とし、第１部材１と第２部材２が成す角度を揺動開始角度φ０とする。揺動開始状態では、第２部材２は、第１部材１に対して矢印Ｎ方向へ揺動する。
【００２７】
次に、図８に示すように、第２部材２を矢印Ｎ方向へ起立させると、弾発部材１３によりギア部材４へ押し付ける方向に弾発付勢される浮動くさび部材６の当接面９は、くさび面８から離れて、僅かな隙間ｄを生じる（図８（ｂ）参照）。そして、さらに起立動作を続けると、図８（ｃ）に示すように、浮動くさび部材６の誘導勾配面２７が、くさび形窓部５の当たり用段付部２８に当接して、浮動くさび部材６が隙間ｄの分だけギア部材４から離れて、歯面７が凹凸ギア歯２５をカチカチと音をたて乗り越える。
この際、浮動くさび部材６は、歯面７を凹凸ギア歯２５…に噛合すると共に、当接面９をくさび面８に当接して、第２部材２が矢印Ｒ方向に揺動するのを抑制する。よって、第２部材２を任意の傾斜角度にて維持する。ギア部材４は、円形低突隆部２４を円形支持孔２１に枢着して保持されるため、摺接外周面２２を円形支持孔２１に広く摺接して、第２部材２の姿勢を強固に維持する。
【００２８】
図９に示すように、第２部材２を起立させていくと、浮動くさび部材６に押し返し突部１０を当接し、かつ、誘導勾配面２７が当たり用段付部２８に当接する（図９（ｂ）参照）。
【００２９】
その後、図１０に示すように、第２部材２を、さらに矢印Ｎ方向に揺動させると、弾発部材１３の弾発力に逆らって、押し返し突部１０にて押し返された浮動くさび部材６は、ギア部材４から離反し、当たり用段付部２８を乗り越えて、退避空間部１１に収容される。つまり、浮動くさび部材６が、ギア部材４から離反することにより、歯面７と凹凸ギア歯２５…の噛合状態は解除される。また、浮動くさび部材６は、ギア部材４を係止して、矢印Ｎ方向への回転を抑止する。
この状態を揺動終了状態とし、第１部材１と第２部材２とが成す角度を揺動終了角度φ１とする。揺動終了状態では、第２部材２は、第１部材１に対して揺動終了角度φ１より矢印Ｎ方向へは揺動しない。
【００３０】
従って、歯面７と凹凸ギア歯２５…の噛合状態は解除され、第２部材２は、第１部材１に対して揺動開始角度φ０から揺動終了角度φ１の範囲内で自由揺動状態となる。そして、図１１に示すように、第２部材２を矢印Ｒ方向に揺動し、第１部材１と第２部材２が直線状（揺動開始角度φ０）にすると、ギア部材４の押し出し突部１２により誘導勾配面２７を押圧し、浮動くさび部材６を退避空間部１１から押し出して、歯面７とギア部材４の凹凸ギア歯２５…とを、再び噛合状態に復帰させる。
【００３１】
つまり、図１２に示すように、揺動開始状態から第２部材２をＲ方向への揺動を阻止しつつ揺動単位角度αずつ矢印Ｎ方向に揺動し、任意の傾斜角度にて維持する。第１部材１に対する第２部材２の傾斜角度が、揺動終了状態の揺動終了角度φ１に達すると、第２部材２は、揺動開始角度φ０から揺動終了角度φ１の範囲内で自由揺動状態となる。その後、第１部材１と第２部材２とを直線状（揺動開始角度φ０）に戻すことにより、浮動くさび部材６とギア部材４とを噛合状態に復帰させて、再び揺動開始状態に戻る。
なお、本実施例では、揺動開始角度φ０＝０°、揺動終了角度φ１＝９５°であり、歯面７が１つの凹凸ギア歯２５を乗り越えて揺動する角度としての揺動単位角度αは５°程度に設定されているが、各々の値を、変更自由であり、これは一例にすぎない。
【００３２】
また、第１取付部１８及び第２取付部１９を所望の形状に設定することが可能であり、例えば、図１３に示すように、カバーＫ，Ｋを取付けたケース部３を備えた第１部材１は、第１取付部１８を上述の実施の形態にて用いたものとは異なった形状のものとすることが可能である。第２部材２に関しても同様であり、図１４に示すように、嵌入軸部２０を突設する第２部材２は、第２取付部１９を上述の実施の形態にて用いたものとは異なった形状のものとすることが可能である。
図１３（ａ）〜（ｄ）に示した第１部材１と、図１４（ａ）〜（ｄ）に示した第２部材２と、の組み合わせは自由に選択することが可能で、角度調整金具Ａの使用用途や第１取付部１８及び第２取付部１９のソファ等への固定方法によって多様な形態を採用できる。
【００３３】
図６に示すように、ソファＳのバックレストＳ１の左右両側に角度調整金具Ａを取着した場合には、左側の角度調整金具Ａの第１部材１の貫通孔２３に対しては、左側から第２部材２の嵌入軸部２０を挿入して枢結し、右側の角度調整金具Ａの第１部材１の貫通孔２３に対しては、右側から第２部材２の嵌入軸部２０を挿入して枢結する。つまり、第２部材２の嵌入軸部２０は、第１部材１の貫通孔２３に対して、左右いずれからでも挿入することが可能である。特に、図１３（ｃ）（ｄ）と、図１４（ｄ）の組合せでは、左右の角度調整具Ａは全く共通部品をもって使用できる。
【００３４】
また、図６に示すように、ソファＳのバックレストＳ１の左右両側に角度調整金具Ａを取着した場合には、左側の角度調整金具Ａの第１部材１の貫通孔２３に対しては、左側から第２部材２の嵌入軸部２０を挿入して枢結し、右側の角度調整金具Ａの第１部材１の貫通孔２３に対しては、右側から第２部材２の嵌入軸部２０を挿入して枢結する。つまり、第２部材２の嵌入軸部２０は、第１部材１の貫通孔２３に対して、左右いずれからでも挿入することが可能である。特に図１３（ｃ）（ｄ）と、図１４（ｄ）の組み合わせでは、左右の角度調整具Ａは全く共通部分をもって使用できる。また、図１３（ａ）（ｂ）と、図１４（ａ）（ｂ）（ｃ）の組み合わせについても、第１取付部１８及び第２取付部１９を左右に対応した対称形とする必要があるものの、第１部材１のケース部３内に集められた加工精度及び材質や熱処理等を最も必要とする製作が特に難しく高価な機能部品を共通してそのまま使用できる。
【００３５】
次に、図１５及び図１６に示すように、揺動開始状態に於て、第１部材１に対して第２部材２を、所定角度θをもって、傾斜させた状態で取り付ける場合について説明する。なお、貫通孔２３は、正六角孔であり、嵌入軸部２０は、正六角柱形状であるため、ここでは、θ＝６０°として角度の変更が可能なものである。
図１５に示すように、第１部材１に対して第２部材２が、矢印Ｎ方向に所定角度θ傾斜した状態で揺動を開始するように、揺動開始角度φ０を変更する。揺動開始角度φ０から揺動終了角度φ１までの可動域は、既述の動作の場合と同様である。よって、揺動終了角度φ１も所定角度θ分だけ矢印Ｎ方向に傾斜する。このようにして、第１部材１に対する第２部材２の揺動開始角度φ０及び揺動終了角度φ１を、所定角度θをもって変更する。
【００３６】
また、図１６に示すように、第１部材１に対して第２部材２を、さらに矢印Ｎ方向に所定角度θ傾斜させ、揺動開始角度φ０を変更すると、揺動終了角度φ１が矢印Ｎ方向にさらに所定角度θ傾斜する。つまり、揺動開始角度φ０及び揺動終了角度φ１は、所定角度θ毎に変更可能であり、第１部材１に対する第２部材２の揺動開始角度φ０及び揺動終了角度φ１を使用用途に応じて変更可能に構成されている。
【００３７】
なお、本発明は、設計変更可能であって、例えば、貫通孔２３及び嵌入軸部２０の形状は、正六角形に限定されるものではなく、正三角形、正四角形、正八角形等の正多角形や、その他、十字形状や星型等の非円形とするも好ましい。
【００３８】
以上のように、本発明は  非円形の貫通孔２３を有する略円盤形状のギア部材４を回転自在として保持したケース部３を備える第１部材１と、ギア部材４の貫通孔２３に挿入離脱自在に挿入される嵌入軸部２０が突設された第２部材２と、を備え、ケース部３に形成されるくさび形窓部５と、くさび形窓部５内にて移動可能に配設されかつ一面側がギア部材４に噛合可能な歯面７とされ他面側がくさび形窓部５のくさび面８に当接する当接面９とされて歯面７がギア部材４に噛合しかつ当接面９がくさび面８に当接しギア部材４がケース部３に対して一方向へ揺動するのを抑制する浮動くさび部材６と、を具備するので、第１部材１の貫通孔２３に第２部材２の嵌入軸部２０を挿入するのみで、第１部材１と第２部材２との枢結を容易に行い得る。また、使用用途に応じて設計の変更が余儀なくされた場合に、加工精度及び材質や熱処理等を最も必要とする高価な機能部品を第１部材１のケース部３に集めることができるので、このケース部３のみを共用しつつ、容易に対応でき、製作を容易とし、品質を高く維持できる。また、第１部材１と第２部材２との揺動開始角度φ０及び揺動終了角度φ１の調整を簡単に行なうことができ、使用用途を拡大可能となる。
【００３９】
また、ギア部材４は、摺接外周面２２を有する円形低突隆部２４が左右両側面４ａ，４ｂから突出状に連設され、ケース部３は、円形低突隆部２４の摺接外周面２２を摺動可能に嵌着する円形支持孔２１が貫設された一対の対面板部１７，１７を備えているので、従来の図１７と図１８で述べた細径のピン３９及び小孔部４０の早期摩耗を防止でき、これに伴うギア歯の異常摩耗・切損を防止でき、耐久性に優れる。
【００４０】
また、第２部材２の嵌入軸部２０は、第１部材１の貫通孔２３に対して、左右いずれからでも挿入可能に構成されているので、使用用途に応じて左右のアーム形状が異なる場合にも、多くの部品を共用することができる。
【００４１】
また、非円形の貫通孔２３を正多角形として、所定角度θをもって、第１部材１に対する第２部材２の揺動開始角度φ０及び揺動終了角度φ１の各々を変更可能に構成しているので、第１部材１と第２部材２とを着脱するのみで、揺動開始角度φ０及び揺動終了角度φ１の調整を簡単に行なうことができ、使用用途を制限されることなく利用できる。
【００４２】
ギア部材４に於て、貫通孔２３の軸心点Ｐ１を中心とする凹凸ギア歯２５…のギア半径Ｒｇに対し、摺接外周面２２の軸心点Ｐ１を中心とする半径Ｒ０を、６０％〜８０％に設定しているので、摺接外周面２２に対する面圧が低下し、摩耗が生じにくくなって、ギア部材４の軸ブレを防止し、凹凸ギア歯２５と歯面７とを確実に噛合させることが可能となる。
【符号の説明】
【００４３】
１  第１部材
２  第２部材
３  ケース部
４  ギア部材
４ａ  左側面
４ｂ  右側面
５  くさび形窓部
６  浮動くさび部材
７  歯面
８  くさび面
９  当接面
１７  対面板部
２０  嵌入軸部
２１  円形支持孔
２２  摺接外周面
２３  貫通孔
２４  円形低突隆部
２５  凹凸ギア歯
θ  所定角度
φ０  揺動開始角度
φ１  揺動終了角度
Ｐ１  軸心点
Ｒｇ  ギア半径
Ｒ０  半径
Ｃ１  一軸心（第１軸心）
【手続補正２】
【補正対象書類名】特許請求の範囲
【補正対象項目名】全文
【補正方法】変更
【補正の内容】
【特許請求の範囲】
【請求項１】
一軸心（Ｃ１）廻りに揺動可能に枢結される第１部材（１）と第２部材（２）を備え、
上記第１部材（１）はケース部（３）を有すると共に、該ケース部（３）に略円盤形状のギア部材（４）を、上記一軸心（Ｃ１）廻りに回転自在として保持させ、上記一軸心（Ｃ１）に沿って上記ギア部材（４）に非円形の貫通孔（２３）を貫設し、
しかも、上記ギア部材（４）は、上記一軸心（Ｃ１）を中心とする円形低突隆部（２４）（２４）が、左右両側面（４ａ）（４ｂ）から突出状に連設され、かつ、上記ケース部（３）は一対の対面板部（１７）（１７）を有し、上記ギア部材（４）の上記円形低突隆部（２４）（２４）の摺接外周面（２２）（２２）を、上記対面板部（１７）（１７）に貫設した円形支持孔（２１）（２１）に摺動可能に嵌着し、
上記ケース部（３）の対面板部（１７）（１７）に形成されるくさび形窓部（５）と、該くさび形窓部（５）内にて移動可能に配設されかつ一面側が上記ギア部材（４）に噛合可能な歯面（７）とされ他面側が上記くさび形窓部（５）のくさび面（８）に当接する当接面（９）とされて上記歯面（７）が該ギア部材（４）に噛合しかつ上記当接面（９）が上記くさび面（８）に当接し上記ギア部材（４）が上記ケース部（３）に対して一方向へ揺動するのを抑制する浮動くさび部材（６）と、を具備し、
上記第２部材（２）の一端部には、上記ギア部材（４）の上記貫通孔（２３）に対して、左右いずれからでも挿入可能として、挿入離脱自在に挿入される非円形の嵌入軸部（２０）が突設され、
上記非円形の貫通孔（２３）に上記非円形の嵌入軸部（２０）を挿入離脱自在に挿入して、所定角度（θ）をもって、上記第１部材（１）に対する上記第２部材（２）の揺動開始角度（φ０）及び揺動終了角度（φ１）の各々を変更可能に構成し、
しかも、上記ギア部材（４）に於て、上記貫通孔（２３）の軸心点（Ｐ１）を中心とする凹凸ギア歯（２５）…のギア半径（Ｒｇ）に対し、上記摺接外周面（２２）の上記軸心点（Ｐ１）を中心とする半径（Ｒ０）を、６０％〜８０％に設定したことを特徴とする角度調整金具。
【請求項２】
上記円形低突隆部（２４）の高さ寸法を、対面板部（１７）の肉厚寸法と略等しく設定した請求項１記載の角度調整具。